(57)【要約】【課題】この発明は、ガイドレールの取り付け／取り外し時に、締結用小物部品や付着物の飛散物を確実に捕集でき、簡易に設置できるエレベータ用落下物捕集装置を得る。【解決手段】第１スライドファスナ１５を閉じることにより筒状態となるように構成され、かつ、作業用開口を形成する一対の第２スライドファスナ１７ａ，１７ｂが第１スライドファスナ１５挟んで両側に設けられた覆体１４を有する。この覆体１４は、第１スライドファスナ１５を閉じて落下物受け止め板およびガイドレールの締結部を内包するように配置される。また、覆体１４の上部側をガイドレールの締結部の上部位置を囲繞するように固縛する紐１６ａ、覆体１４を落下物受け止め板の外周側面に固縛する紐１８、さらに、覆体１４の下部側をガイドレールの落下物受け止め板の下部位置を囲繞するように固縛する紐１６ｂを備えている。【選択図】図５
2006044816.tif 000002
【特許請求の範囲】
【請求項１】
少なくとも２つに分割構成され、かつ、エレベータガイドレールの外形形状に適合する内形形状を有する凹溝がその分割面に分割形成されており、該凹溝内に該エレベータガイドレールを嵌め込んで該エレベータガイドレールの締結部の下部位置に該エレベータガイドレールを囲繞するように装着される落下物受け止め板と、
可撓性材料からなるシート状に作製され、第１開閉部材を閉じることにより筒状態となるように構成され、かつ、作業用開口を形成する一対の第２開閉部材が該第１開閉部材を挟んで両側に設けられ、該第１開閉部材を閉じて上記落下物受け止め板および上記エレベータガイドレールの締結部を内包するように配置される覆体と、
上記落下物受け止め板および上記エレベータガイドレールの締結部を内包するように配置された上記覆体の上部側を上記エレベータガイドレールの締結部の上部位置を囲繞するように固縛する第１固縛部材と、
上記落下物受け止め板および上記エレベータガイドレールの締結部を内包するように配置された上記覆体を上記落下物受け止め板の外周側面に固縛する第２固縛部材と、
を備えていることを特徴とするエレベータ用落下物捕集装置。
【請求項２】
上記落下物受け止め板および上記エレベータガイドレールの締結部を内包するように配置された上記覆体の下部側を上記エレベータガイドレールの落下物受け止め板の下部位置を囲繞するように固縛する第３固縛部材をさらに備えていることを特徴とする請求項１記載のエレベータ用落下物捕集装置。
【請求項３】
粘着材が上記落下物受け止め板の上面に配設されていることを特徴とする請求項１又は請求項２記載のエレベータ用落下物捕集装置。
【請求項４】
上記落下物受け止め板が発泡スチロールで作製されていることを特徴とする請求項１乃至請求項３のいずれか１項に記載のエレベータ用落下物捕集装置。
【請求項５】
上記第１および第２開閉部材の少なくとも一方がスライドファスナで構成されていることを特徴とする請求項１乃至請求項４のいずれか１項に記載のエレベータ用落下物捕集装置。
【発明の詳細な説明】
【技術分野】
【０００１】
この発明は、エレベータ昇降路内における落下物を捕集する落下物捕集装置に関するものである。
【背景技術】
【０００２】
従来、エレベータにおいては、エレベータ乗り場とエレベータかごとの乗降時に、誤って小物を落としたり、床面に落ちていた小物を蹴ってしまって、該小物が乗り場とかごとの隙間から落ちてしまうことを防止するために、落下物を捕集する装置が各種提案されている（例えば、特許文献１乃至３参照）。
【０００３】
例えば、特許文献１に記載された従来の落下物捕集装置では、エレベータの最下階の乗り場床と乗りかご戸の間に形成された隙間の下側に設置され、その隙間から落下した落下物を受け止める落下物受け止め板と、最下階の床下に落下物受け止め板に連接して設置され、落下物受け止め板を介して落下物を回収する落下物回収箱と、を備えている。
【０００４】
また、特許文献２に記載された従来の落下物捕集装置では、かごの下部に設けられている回収箱と、この回収箱の乗り場側端部に設けられていると共に、乗り場側に突出可能になっている可動受け部材と、かごの各階停止時に可動受け部材をかごとの乗り場との間の隙間の下方に突出動作させるとともに、かごの昇降時には可動受け部材を回収箱側へ退避移動させる制御装置と、を備えている。
【０００５】
また、特許文献３に記載された従来の落下物捕集装置では、相互に対向する乗り場側敷居およびかご側敷居と、このかご側敷居に案内されるかご側ドアと、かご側に付勢力を受けながらかごにおけるかご側敷居より下方側に回動可能に設けられ上面が開口している受け箱と、開動作するかご側ドアによって押されると作動して受け箱を回動させる作動部材と、を備え、かご側ドアが開作動すると作動部材が作動して受け箱を回動させ、この受け箱の上面を乗り場側敷居とかご側敷居との間に位置させるようにしたものである。
【０００６】
【特許文献１】特開平７−１４４８４５号公報（請求項１、図１）
【特許文献２】特開平８−９９７８６号公報（請求項１、図２）
【特許文献３】特開平１０−２３６７５４号公報（請求項１、図１）
【発明の開示】
【発明が解決しようとする課題】
【０００７】
一般に、エレベータの施工時或いは改修時には、例えばガイドレールの取り付け、取り外し作業が行われる。そして、ガイドレールの取り付け、取り外し作業では、ボルト、ナット、ライナ、クリップなどの多くの締結用小物部品の着脱作業が行われる。
しかし、エレベータにおける従来の落下物捕集装置は、エレベータ乗り場の床面下、あるいはエレベータかご下に設置されており、エレベータかごと乗り場との間に形成される隙間から落下する落下物に対してのみ有効であった。
そこで、エレベータの施工時或いは改修時、上述の締結用小物部品が落下した場合には、エレベータかごと乗り場との間に形成される隙間から落下する落下物を対象とする従来の落下物捕集装置では捕集することができない、という課題があった。特に、ガイドレールを固定しているボルト、ナット、ライナ、クリップなどにはペンキなどが付着しており、ガイドレールの改修時においてガイドレールの取り外した際に、ペンキなどの付着物が剥離して飛散してしまうが、従来の落下物捕集装置では、これらの飛散物を全く捕集できなかった。
さらに、従来の落下物捕集装置は、大掛かりなものであり、設置に時間がかかり、作業性が悪化してしまう、という課題もあった。
【０００８】
この発明は、ガイドレールの取り付け／取り外し時におけるガイドレールを固定する締結用小物部品の落下物、さらにはガイドレールの取り外し時における該締結用小物部品に付着している付着物の飛散物を確実に捕集できるとともに、簡易に設置できるエレベータ用落下物捕集装置を得ることを目的とする。
【課題を解決するための手段】
【０００９】
この発明によるエレベータ用落下物捕集装置は、少なくとも２つに分割構成され、かつ、エレベータガイドレールの外形形状に適合する内形形状を有する凹溝がその分割面に分割形成されており、該凹溝内に該エレベータガイドレールを嵌め込んで該エレベータガイドレールの締結部の下部位置に該エレベータガイドレールを囲繞するように装着される落下物受け止め板と、可撓性材料からなるシート状に作製され、第１開閉部材を閉じることにより筒状態となるように構成され、かつ、作業用開口を形成する一対の第２開閉部材が該第１開閉部材を挟んで両側に設けられ、該第１開閉部材を閉じて上記落下物受け止め板および上記エレベータガイドレールの締結部を内包するように配置される覆体と、上記落下物受け止め板および上記エレベータガイドレールの締結部を内包するように配置された上記覆体の上部側を上記エレベータガイドレールの締結部の上部位置を囲繞するように固縛する第１固縛部材と、上記落下物受け止め板および上記エレベータガイドレールの締結部を内包するように配置された上記覆体を上記落下物受け止め板の外周側面に固縛する第２固縛部材と、を備えているものである。
【発明の効果】
【００１０】
この発明によれば、構成部材が大掛かりなものではなく、簡易に設置でき、作業性を向上できる。
また、落下物受け止め板がエレベータガイドレールの締結部の下部位置に装着され、覆体が落下物受け止め板およびエレベータガイドレールの締結部を内包するように配置され、覆体の上部側が第１固縛部材によりエレベータガイドレールの締結部の上部位置に固縛され、覆体が第２固縛部材により落下物受け止め板の外周側面に固縛されるので、エレベータガイドレールの締結部が落下物受け止め板および覆体により覆われる。そこで、エレベータガイドレールの締結部が風のあるような場合でも、締結用小物部品がとばされることがない。また、締結用小物部品を誤って落としても、落下物受け止め板に捕集され、昇降路内への落下が防止される。また、締結用小物部品の付着物が飛散しても、落下物受け止め板に捕集され、付着物の飛散が防止される。
【発明を実施するための最良の形態】
【００１１】
まず、実施の形態を記載する前に、この発明による落下物捕集装置が適用されるエレベータについて説明する。
【００１２】
図１はエレベータにおける乗りかご用ガイドレールの敷設状態を説明する要部正面図、図２は図１のＩＩ−ＩＩ矢視断面図、図３は図１のＩＩＩ−ＩＩＩ矢斜断面図、図４は図１をＡ方向から見た側面図である。
各図において、エレベータの昇降路１は、建物内に鉛直方向に延設されている。そして、ビーム２は、例えば鋼材で断面コ字状に作製され、長さ方向を水平方向として鉛直方向に所定間隔を持って昇降路１の壁面に複数固着されている。そして、ブラケット３は、例えばＬ字鋼で作製され、各ビーム２に取り付けられている。
ガイドレール４は、例えば５ｍの長さを有し、断面Ｔ字状に作製されている。そして、複数のガイドレール４が、長さ方向を鉛直方向として、各ブラケット３に支持されて、昇降路１内に鉛直方向に延設されている。各ガイドレール４は、ライナ５により高さ調整されてブラケット３に宛われ、さらにクリップ６が宛われ、ボルト７ａとナット８ａとの締着によりブラケット３に締結固定されている。また、鉛直方向に隣接するガイドレール４は、端面同士を互いに当接され、そのジョイント部の背面に宛われた鋼材からなる矩形平板状の目板９にボルト７ｂとナット８ｂとの締着により連結されている。
【００１３】
なお、一対のガイドレール４が昇降路１内に相対して鉛直方向に延設されて、乗りかご用ガイドレールを構成している。そして、乗りかご（図示せず）が一対の乗りかご用ガイドレールに案内されて昇降路１内を昇降自在に配設されている。また、一対のガイドレール４が、乗りかごの昇降領域を避けて昇降路１内に相対して鉛直方向に延設されて、つり合いおもり用ガイドレールを構成している。そして、つり合いおもり（図示せず）が一対のつり合いおもり用ガイドレールに案内されて昇降路１内を昇降自在に配設されている。
そして、乗りかごおよびつり合いおもりが、昇降路１の上部機械室（図示せず）に設置された駆動綱車（図示せず）に巻き掛けられた主ロープ（図示せず）の両端に連結されて、エレベータを構成している、これにより、乗りかごが駆動綱車により昇降路１を昇降運転される。
【００１４】
ここで、エレベータの施工時或いは改修時には、ガイドレール４の取り付け作業や取り外し作業が行われる。そして、このガイドレール４の取り付け作業や取り外し作業では、ガイドレール４とブラケット３との締結固定部およびガイドレール４同士のジョイント部などの各締結部において、ライナ５、クリップ６、ボルト７ａ，７ｂおよびナット８ａ、８ｂの着脱作業が行われ、それら締結用小物部品の落下の問題が生じる。この発明は、特に、ガイドレール４の取り付け作業や取り外し作業に適用され、作業中にライナ５、クリップ６、ボルト７ａ，７ｂおよびナット８ａ、８ｂ等の締結用小物部品を誤って落としても確実に捕集して、昇降路１内への落下を防止するものである。
【００１５】
以下、この発明の実施の形態について説明する。
実施の形態１．
図５はこの発明の実施の形態１に係るエレベータ用落下物捕集装置を示す斜視図、図６はこの発明の実施の形態１に係るエレベータ用落下物捕集装置に適用される落下物受け止め板を示す斜視図である。
【００１６】
図５および図６において、落下物捕集装置１０は、ガイドレール４の締結部の下部位置に装着される落下物受け止め板１１と、落下物受け止め板１１を内在させて該締結部を覆うようにガイドレール４に装着される覆体１４と、覆体１４を落下物受け止め板１１の外周側面に密着させるように両者を固縛する第２固縛部材としての紐１８と、を備えている。
【００１７】
落下物受け止め板１１は、例えば発泡スチロールで円盤状に作製されている。そして、落下物受け止め板１１は、その中央部に、ガイドレール４の外形形状に適合する内径形状を有する凹溝１２が形成されている。この落下物受け止め板１１は、凹溝１２を２分割するように、第１分割受け止め板１１Ａと、第２分割受け止め板１１Ｂと、から構成されている。そして、第１分割凹溝１２Ａが第１分割受け止め板１１Ａに形成され、第２分割凹溝１２Ｂが第２分割受け止め板１１Ｂに形成されている。これにより、第１および第２分割受け止め板１１Ａ，１１Ｂが、ガイドレール４の長さ方向と直交する両側からガイドレール４に装着される。そして、ガイドレール４が第１および第２分割凹溝１２Ａ，１２Ｂ内に嵌め込まれ、ガイドレール４と落下物受け止め板１１との間の隙間が塞がれる。さらに、粘着テープ１３が第１分割受け止め板１１Ａの分割面に貼着されている。
【００１８】
覆体１４は、布や塩化ビニールなどの可撓性材料をシート状に作製され、第１開閉部材としての第１スライドファスナ１５を開けることによりシート状体になり、かつ、第１スライドファスナ１５を閉じることにより筒状体になるように構成されている。そして、覆体１４は、筒状体の覆体１４の上部開口および下部開口を閉塞するための第１および第３固縛部材としての紐１６ａ，１６ｂを備えている。さらに、覆体１４には、作業用開口を形成するための一対の第２開閉部材としての第２スライドファスナ１７ａ，１７ｂが、第１スライドファスナ１５を挟んで両側に設けられている。
【００１９】
つぎに、このように構成された落下物捕集装置１０を用いたガイドレール４のジョイント部における締結解除作業について図７および図８を参照しつつ説明する。
まず、図７の（ａ）に示されるように、ガイドレール４のジョイント部（締結部）の下部の位置で、第１分割凹溝１２Ａ内にガイドレール４を嵌め込むように、第１分割受け止め板１１Ａをガイドレール４の幅方向の一側から装着する。ついで、第２分割凹溝１２Ｂ内にガイドレール４を嵌め込むように、第２分割受け止め板１１Ｂをガイドレール４の幅方向の他側から装着する。これにより、第１および第２分割受け止め板１１Ａ，１１Ｂは粘着テープ１３により互いに粘着一体化され、落下物受け止め板１１がガイドレール４に密着して、かつ、ガイドレール４を囲繞するように装着される。
そして、第１スライドファスナ１５を開けて覆体１４をシート状に広げ、図７の（ｂ）に示されるように、ガイドレール４の背面側を通す。そして、図７の（ｃ）に示されるように、覆体１４の上部側をガイドレール４のジョイント部の上方位置に巻き付け、紐１６ａにより固縛する。
【００２０】
ついで、図８の（ａ）に示されるように、覆体１４の下部側をガイドレール４の落下物受け止め板１１の装着部の下方位置に巻き付け、紐１６ｂにより固縛する。そして、図８の（ｂ）に示されるように、第１スライドファスナ１５を閉じて、ガイドレール４のジョイント部とともに落下物受け止め板１１を内包し、紐１８により覆体１４を落下物受け止め板１１の外周側面に固縛し、落下物捕集装置１０の装着が完了する。
【００２１】
そして、作業者は、第２スライドファスナ１７ａ，１７ｂを開けて作業用開口１９ａ、１９ｂを形成し、該作業用開口１９ａ，１９ｂから手を差し込み、ボルト７ｂおよびナット８ｂを取り外し、目板９を取り外す。この時、ボルト７ｂ、ナット８ｂおよび目板９を誤って離しても、落下物受け止め板１１に受け止められ、昇降路１内に落下することがない。また、ボルト７ｂ、ナット８ｂおよび目板９の取り外しに際し、付着しているゴミや、塗料等の剥離物も、落下物受け止め板１１に受け止められ、昇降路１内に飛散することがない。
【００２２】
そこで、落下物受け止め板１１に捕集されたボルト７ｂ、ナット８ｂおよび目板９を回収し、その後掃除機のホースを作業用開口１９ａから差し込み、落下物受け止め板１１上のゴミや剥離物を吸引除去する。
ついで、紐１６ａ，１６ｂ，１８の固縛を解き、第１スライドファスナ１５を開けて覆体１４を取り去りる。その後、第１および第２分割受け止め板１１Ａ，１１Ｂを取り外して、ガイドレール４のジョイント部での締結解除作業が終了する。
【００２３】
つぎに、このように構成された落下物捕集装置１０を用いたガイドレール４のジョイント部における締結作業について説明する。
まず、下側のガイドレール４はブラケット３に締結固定されているものとする。そして、上側のガイドレール４が、長手方向を鉛直方向としてその下端面をガイドレール４が下側にガイドレール４の上端面に突き合わせて配置され、その上部位置で、ブラケット３に締結固定されているものとする。
そこで、ガイドレール４のジョイント部（締結部）の下部の位置で、第１分割凹溝１２Ａ内にガイドレール４を嵌め込むように、第１分割受け止め板１１Ａをガイドレール４の幅方向の一側から装着する。ついで、第２分割凹溝１２Ｂ内にガイドレール４を嵌め込むように、第２分割受け止め板１１Ｂをガイドレール４の幅方向の他側から装着する。これにより、第１および第２分割受け止め板１１Ａ，１１Ｂは粘着テープ１３により互いに粘着一体化され、落下物受け止め板１１がガイドレール４に密着して、かつ、ガイドレール４を囲繞するように装着される。
そして、第１スライドファスナ１５を開けて覆体１４をシート状に広げ、ガイドレール４の背面側を通す。そして、覆体１４の上部側をガイドレール４のジョイント部の上方位置に巻き付け、紐１６ａにより固縛する。
【００２４】
ついで、覆体１４の下部側をガイドレール４の落下物受け止め板１１の装着部の下方位置に巻き付け、紐１６ｂにより固縛する。そして、第１スライドファスナ１５を閉じて、ガイドレール４のジョイント部とともに落下物受け止め板１１を内包し、紐１８により覆体１４を落下物受け止め板１１の外周側面に固縛し、落下物捕集装置１０の装着が完了する。
【００２５】
そして、作業者は、第２スライドファスナ１７ａ，１７ｂを開けて作業用開口１９ａ、１９ｂを形成し、該作業用開口１９ａ，１９ｂから手を差し込み、目板９をジョイント部の裏面に宛い、ボルト７ｂおよびナット８ｂによりガイドレール４と目板９とを締結固定する。この時、ボルト７ｂ、ナット８ｂおよび目板９を誤って離しても、落下物受け止め板１１に受け止められ、昇降路１内に落下することがない。
ついで、紐１６ａ，１６ｂ，１８の固縛を解き、第１スライドファスナ１５を開けて覆体１４を取り去る。その後、第１および第２分割受け止め板１１Ａ，１１Ｂを取り外して、ガイドレール４のジョイント部での締結作業が終了する。
【００２６】
ここで、ガイドレール４とブラケット３との締結固定部（締結部）においても、上述のガイドレール４のジョイント部での締結／締結解除作業と同様に、落下物捕集装置１０を用いて、ボルト７ａ、ナット８ａ、ライナ５およびクリップ６の締結および締結解除を行うことができる。
【００２７】
このように、この実施の形態１によれば、落下物受け止め板１１が第１および第２分割受け止め板１１Ａ，１１Ｂに分割構成されているので、第１および第２分割凹溝１２Ａ，１２Ｂにガイドレール４を嵌め込むように、第１および第２分割受け止め板１１Ａ，１１Ｂを両側からガイドレール４に宛うだけで装着でき、落下物受け止め板１１の装着性が向上する。
覆体１４が第１スライドファスナ１５の開閉によりシート状態と筒状体とをとるように構成されているので、覆体１４をシート状態としてガイドレール４を内包するように装着でき、さらに第１スライドファスナ１５を閉じることにより、ガイドレール４を囲繞でき、覆体１４の装着性が向上する。
覆体１４の上部側が紐１６ａによりガイドレール４を囲繞するように固縛され、かつ、覆体１４が紐１８により落下物受け止め板１１の外周側面に密接するように固縛されるようになっているので、締結部が覆体１４と落下物受け止め板１１とにより外部から遮断される。そこで、展望エレベータのような風のある場所でも、締結用小物部品自体、あるいは締結用小物部品の付着物が飛ばされることもない。さらに、締結用小物部品、あるいは締結用小物部品の付着物の落下物が落下物受け止め板１１に確実に捕集され、昇降路１内への落下が確実に防止される。
【００２８】
また、覆体１４の下部側が紐１６ｂによりガイドレール４を囲繞するように固縛されるようになっているので、落下物受け止め板１１と覆体１４との間、或いは落下物受け止め板１１とガイドレール４との間に隙間が生じても、締結用小物部品の落下物を捕集することができる。
また、落下物受け止め板１１が発泡スチロールで作製されているので、軽量化が図られ、作業負荷を軽減できる。また、発泡スチロールは加工が容易であるので、現地での凹溝１２とガイドレール４との微調整ができる。
また、第１および第２開閉部材として第１および第２スライドファスナ１５，１７ａ，１７ｂを用いているので、開閉動作が容易となり、作業性が向上される。
【００２９】
また、覆体１４は、第１スライドファスナ１５を閉じた際に、上部側が締結されない筒状体に構成されているので、第１スライドファスナ１５の上部側に開口が形成される。そこで、この開口から内部を覗けるので、締結用小物部品の締結或いは締結解除作業がし易くなる。また、ライナ５や目板９などをこの開口から出し入れできるので、作業性が向上される。さらに、必要のない時には、覆体１４を重ねることにより開口を塞ぐことができるので、付着部との飛散を防止することができる。
【００３０】
なお、上記実施の形態１では、覆体１４は、第１スライドファスナ１５を閉じた際に、上部側が締結されない筒状体に構成されているものとしているが、第１スライドファスナ１５を閉じた際に、上部側まで締結された筒状体に構成されるようにしてもよいが、第１スライドファスナ１５を閉じた際に、少なくとも締結部および落下物受け止め板１１を外部から遮蔽する領域が締結されていればよい。
【００３１】
実施の形態２．
この実施の形態２では、粘着材が上面のほぼ全面に塗布形成された落下物受け止め板を用いるものとしている。
なお、他の構成は上記実施の形態１と同様に構成されている。
【００３２】
この実施の形態２では、粘着材が落下物受け止め板の上面のほぼ全面に塗布形成されているので、締結用小物部品や付着物の落下物が落下物受け止め板に粘着捕集される。そこで、掃除機による捕集付着物の回収作業が不要となり、作業性が向上される。
【００３３】
なお、上記各実施の形態では、落下物受け止め板１１が２つに分割構成されているものとしているが、凹溝１２を分割構成していれば、分割数は３以上であってもよい。
また、上記各実施の形態では、落下物受け止め板１１が発泡スチロールで作製されているものとしているが、落下物受け止め板１１は発泡スチロールに限定されるものではなく、締結用小物部品およびその付着物を捕集できればよく、例えば他のプラスチック材料、アルミなどの金属材料でもよい。
また、上記各実施の形態では、第１および第２開閉部材としてスライドファスナを用いるものとしているが、第１および第２開閉部材はスライドファスナに限定されるものではなく、開閉できるものであればよく、例えばフォック、ボタン、紐などでもよい。
また、上記各実施の形態では、第１乃至第３固縛部材として紐１８，１６ａ，１６ｂを用いるものとしているが、第１乃至第３固縛部材は紐に限定されるものではなく、覆体１４を固縛できるものであればよく、例えばバンドでもよい。
また、上記各実施の形態では、覆体１４の材料は特に限定されるものではなく、可撓性を有するように薄いシート状に成形されていていればよい。
【図面の簡単な説明】
【００３４】
【図１】エレベータにおける乗りかご用ガイドレールの敷設状態を説明する要部正面図である。
【図２】図１のＩＩ−ＩＩ矢視断面図である。
【図３】図１のＩＩＩ−ＩＩＩ矢斜断面図である。
【図４】図１をＡ方向から見た側面図である。
【図５】この発明の実施の形態１に係るエレベータ用落下物捕集装置を示す斜視図である。
【図６】この発明の実施の形態１に係るエレベータ用落下物捕集装置に適用される落下物受け止め板を示す斜視図である。
【図７】この発明の実施の形態１に係るエレベータ用落下物捕集装置を用いたガイドレールのジョイント部における締結解除作業を説明する工程図である。
【図８】この発明の実施の形態１に係るエレベータ用落下物捕集装置を用いたガイドレールのジョイント部における締結解除作業を説明する工程図である。
【符号の説明】
【００３５】
４  ガイドレール、１１  落下物受け止め板、１１Ａ  第１分割受け止め板、１１Ｂ  第２分割受け止め板、１２  凹溝、１２Ａ  第２分割凹溝、１２Ｂ  第２分割凹溝、１４  覆体、１５  第１スライドファスナ（第１開閉部材）、１６ａ  紐（第１固縛部材）、１６ｂ  紐（第３固縛部材）、１７ａ、１７ｂ  第２スライドファスナ（第２開閉部材）、１８  紐（第２固縛部材）、１９ａ、１９ｂ  作業用開口。
【図１】
2006044816.tif 000003
【図２】
2006044816.tif 000004
【図３】
2006044816.tif 000005
【図４】
2006044816.tif 000006
【図５】
2006044816.tif 000007
【図６】
2006044816.tif 000008
【図７】
2006044816.tif 000009
【図８】
2006044816.tif 000010